(57)【要約】【課題】コンパクトな構成で、肉厚の箇所を挟むこともでき、不必要な痛みは生じさせることなく、強度のあるツボ刺激具を提供する。【解決手段】二つの操作材２，２と、バネ３とを備える。各操作材２は、略半円弧状に湾曲された帯状の挟み部４と、この挟み部４の基端部から外方へ延出する操作部５とを有する。操作材２，２同士は、挟み部４の基端部において、軸６まわりに揺動可能に連結される。バネ３は、各操作材２の挟み部４の先端部同士を閉じる方向に付勢するよう設けられる。各操作材２の挟み部４は、基端部から先端部へ向けて先細りに形成されることなく断面略矩形状の帯状に形成されている。【選択図】図１
2012075488.tif 000002
【特許請求の範囲】
【請求項１】
二つの操作材（２，２）と、バネ（３）とを備え、
前記各操作材（２）は、略半円弧状に湾曲された帯状の挟み部（４）と、この挟み部（４）の基端部から外方へ延出する操作部（５）とを有し、
前記操作材（２，２）同士は、前記挟み部（４）の基端部において、軸（６）まわりに揺動可能に連結され、
前記バネ（３）は、前記各操作材（２）の挟み部（４）の先端部同士を閉じる方向に付勢するよう設けられ、
前記各操作材（２）の挟み部（４）は、基端部から先端部へ向けて先細りに形成されることなく断面略矩形状の帯状に形成されている
ことを特徴とするツボ刺激具（１）。
【請求項２】
前記各操作材（２）の挟み部（４）は、基端部から先端部へ向けて先細りに形成されることなく断面略矩形状の帯状に形成されると共に、先端部のみが略半円形状に形成されており、
前記挟み部（４）の中途部から先端部に亘って、表面に滑り止め樹脂（１１）が設けられており、
前記軸（６）から前記挟み部（４）の先端部までの離隔距離（Ａ）は、前記軸（６）から前記操作部（５）の先端部までの離隔距離（Ｂ）よりも長く、
前記挟み部（４，４）の先端部が閉じた状態において、前記挟み部（４，４）同士の最大離隔距離（Ｃ）は、前記操作部（５，５）同士の最大離隔距離（Ｄ）よりも長い
ことを特徴とする請求項１に記載のツボ刺激具（１）。
【請求項３】
前記各操作材（２）の挟み部（４）の先端部は、お互いが閉じた際に構成される円の内側に向けて屈曲して形成されている
ことを特徴とする請求項１または請求項２に記載のツボ刺激具（１）。
【発明の詳細な説明】
【技術分野】
【０００１】
本発明は、血行を促進したり、凝りを解消したりするために、人のツボを簡易に刺激するツボ刺激具に関するものである。
【背景技術】
【０００２】
血行を促進したり、凝りを解消したりするために、指圧などによりツボを刺激することが広く行われている。また、このようなツボ刺激を簡易に行うために、下記各特許文献に開示されるような器具も提案されている。
【先行技術文献】
【特許文献】
【０００３】
【特許文献１】特開２００１−７９０６２号公報
【特許文献２】登録実用新案第３０３５９７３号公報
【発明の概要】
【発明が解決しようとする課題】
【０００４】
しかしながら、特許文献１に記載の器具では、挟み部として機能するクリップアーム（１，２）が断面円形の丸棒を湾曲した形状であるから、かさばるだけでなく、クリップアーム間で挟める厚さに制約が出やすい。また、クリップアーム（１，２）の先端部同士が閉じた状態において、操作部（１ａ，２ａ）がクリップアーム（１，２）よりも幅方向外側へ突出するので、この点からもかさばる構成である。
【０００５】
一方、特許文献２に記載の器具では、挟み部として機能するくちばし（１，１）が先端部へ向けて先細りの形状であるから、使用時に不必要な痛みを生じやすく、また強度的にも劣るものである。さらに、くちばし（１，１）を開くための操作部は、くちばし同様に大きな面積を占めるので、かさばる構成である。
【０００６】
本発明が解決しようとする課題は、コンパクトな構成で、より肉厚の箇所を挟むこともでき、不必要な痛みは生じさせることなく、強度のあるツボ刺激具を提供することにある。
【課題を解決するための手段】
【０００７】
本発明は、前記課題を解決するためになされたもので、請求項１に記載の発明は、二つの操作材（２，２）と、バネ（３）とを備え、前記各操作材（２）は、略半円弧状に湾曲された帯状の挟み部（４）と、この挟み部（４）の基端部から外方へ延出する操作部（５）とを有し、前記操作材（２，２）同士は、前記挟み部（４）の基端部において、軸（６）まわりに揺動可能に連結され、前記バネ（３）は、前記各操作材（２）の挟み部（４）の先端部同士を閉じる方向に付勢するよう設けられ、前記各操作材（２）の挟み部（４）は、基端部から先端部へ向けて先細りに形成されることなく断面略矩形状の帯状に形成されていることを特徴とするツボ刺激具（１）である。
【０００８】
請求項１に記載の発明によれば、挟み部（４）の先端部間に、手、指、腕、肩、足などを挟んで、バネ（３）の力によりツボを刺激することができる。また、各操作材（２）の挟み部（４）は、断面略矩形状の帯状に形成されているので、断面円形の丸棒を湾曲させた場合と比較して、コンパクトな構成とすることができ、より肉厚の箇所を挟むこともできる。さらに、各操作材（２）の挟み部（４）は、基端部から先端部へ向けて先細りに形成されないので、ツボを刺激することで生じる痛み以外の不必要な痛みを生じさせることなく、また強度を保つこともできる。
【０００９】
請求項２に記載の発明は、前記各操作材（２）の挟み部（４）は、基端部から先端部へ向けて先細りに形成されることなく断面略矩形状の帯状に形成されると共に、先端部のみが略半円形状に形成されており、前記挟み部（４）の中途部から先端部に亘って、表面に滑り止め樹脂（１１）が設けられており、前記軸（６）から前記挟み部（４）の先端部までの離隔距離（Ａ）は、前記軸（６）から前記操作部（５）の先端部までの離隔距離（Ｂ）よりも長く、前記挟み部（４，４）の先端部が閉じた状態において、前記挟み部（４，４）同士の最大離隔距離（Ｃ）は、前記操作部（５，５）同士の最大離隔距離（Ｄ）よりも長いことを特徴とする請求項１に記載のツボ刺激具（１）である。
【００１０】
請求項２に記載の発明によれば、前記各操作材（２）の挟み部（４）は、先端部のみが略半円形状に形成されるので、緩やかな円弧により、ツボを効果的に刺激することができる。また、挟み部（４）の先端部には、表面に滑り止め樹脂（１１）が設けられるので、手や足などを挟んだ状態から、不意に滑り落ちることが防止される。さらに、軸（６）から挟み部（４）の先端部までの離隔距離（Ａ）が、軸（６）から操作部（５）の先端部までの離隔距離（Ｂ）よりも長く、且つ、挟み部（４，４）の先端部が閉じた状態において、挟み部（４，４）同士の最大離隔距離（Ｃ）が、操作部（５，５）同士の最大離隔距離（Ｄ）よりも長く形成されるので、コンパクトな構成とすることができる。
【００１１】
さらに、請求項３に記載の発明は、前記各操作材（２）の挟み部（４）の先端部は、お互いが閉じた際に構成される円の内側に向けて屈曲して形成されていることを特徴とする請求項１または請求項２に記載のツボ刺激具（１）である。
【００１２】
請求項３に記載の発明によれば、各操作材（２）の挟み部（４）の先端部は、お互いが閉じた際に構成される円の内側に向けて屈曲して形成されているので、手や足などを挟んだ状態から、不意に滑り落ちることが防止される。
【発明の効果】
【００１３】
本発明によれば、コンパクトな構成で、より肉厚の箇所を挟むこともでき、不必要な痛みは生じさせることなく、強度のあるツボ刺激具を実現することができる。
【図面の簡単な説明】
【００１４】
【図１】本発明のツボ刺激具の一実施例を示す概略斜視図である。
【図２】図１のツボ刺激具の正面図である。
【図３】図２におけるIII−III断面図である。
【図４】図１のツボ刺激具の使用状態の一例を示す斜視図である。
【図５】図３の変形例を示す図である。
【図６】本発明のツボ刺激具の他の実施例を示す概略正面図である。
【発明を実施するための形態】
【００１５】
以下、本発明の具体的実施例を図面に基づいて詳細に説明する。
図１から図３は、本発明のツボ刺激具１の一実施例を示す概略図であり、図１は斜視図、図２は正面図、図３はIII−III断面図である。
【００１６】
本実施例のツボ刺激具１は、第一操作材２Ａと、第二操作材２Ｂと、バネ３とを備える。
第一操作材２Ａと第二操作材２Ｂとは、概ね同一の構成であるから、まず両者で共通の構成について説明し、その後、両者で異なる構成について説明する。
【００１７】
各操作材２（２Ａ，２Ｂ）は、略半円弧状に湾曲された挟み部４と、この挟み部４の基端部から外方へ延出する操作部５とを有する。図２の状態において、各操作材２は、挟み部４が、左右方向内側へ開放する略半円弧状に形成され、操作部５は、挟み部４の基端部から上方へ行くに従って左右方向外側へ延出して形成されている。このような挟み部４と操作部５とは、典型的には、断面略矩形状の帯状の部材が湾曲された形状に、合成樹脂により一体形成されて構成される。なお、図２において、挟み部４について、上端部を基端部、下端部を先端部といい、操作部５について、下端部を基端部、上端部を先端部ということにする。
【００１８】
挟み部４と操作部５との連接部（言い換えれば、挟み部４の基端部または操作部５の基端部）において、操作材２，２同士は軸６まわりに揺動可能に連結される。そのための具体的構成は特に問わないが、本実施例の場合、図２において、右側の第一操作材２Ａには、挟み部４と操作部５との連接部に、略半円形状の突部が左側へ突出して設けられ、この突部には厚さ方向中央部に凹溝７が形成されている。一方、左側の第二操作材２Ｂには、挟み部４と操作部５との連接部に、略半円形状の突部が右側へ突出して設けられ、この突部には厚さ方向両面が切り欠かれて、厚さ方向中央部に凸板８が設けられている。そして、この凸板８が凹溝７にはめ込まれて、軸６で結合されることで、第一操作材２Ａと第二操作材２Ｂとは軸６まわりに揺動可能に連結される。なお、前述したように、各操作材２は、凹溝７または凸板８の他、後述する貫通穴９などが形成された状態で、挟み部４と操作部５とが、合成樹脂により一体形成される。
【００１９】
バネ３は、各操作材２の挟み部４の先端部同士を閉じる方向に付勢するよう設けられる。そのための具体的構成は特に問わないが、本実施例の場合、バネ３は、一部が切り欠かれた円環状の金属製線材から構成され、このバネ３は、各操作材２の操作部５に形成された貫通穴９を通され、両端部が各操作材２の挟み部４の中途部（長手方向中央部よりやや基端側）の外周面の係合穴１０に係止される。これにより、バネ３は両端部を閉じる方向に付勢力を作用するので、各操作材２の挟み部４の先端部同士を閉じる方向に付勢する。そして、その付勢力に対抗して、操作部５同士を近接するよう摘むことで、挟み部４の先端部同士を離隔することが可能となる。
【００２０】
ところで、図２に示すように、操作部５，５を操作せず、且つ挟み部４，４に何も挟んでいない状態では、挟み部４，４の先端部同士は当接しているが、場合により少し離間するよう構成してもよい。また、図２の状態では、軸６から挟み部４の先端部までの離隔距離Ａは、軸６から操作部５の先端部までの離隔距離Ｂよりも長く、且つ、挟み部４，４同士の左右方向の最大離隔距離Ｃは、操作部５，５同士の左右方向の最大離隔距離Ｄよりも長くなるよう構成するのがよい。
【００２１】
また、図２に示すように、操作部５，５を操作せず、且つ挟み部４，４に何も挟んでいない状態で、各操作材２の挟み部４の先端部は、先端側へ行くに従ってやや上方へ傾斜するよう形成されてもよい。すなわち、各操作材２の挟み部４の先端部は、お互いが閉じた際に構成される円の内側に向けて屈曲して形成されてもよい。これは、挟み部４の先端部同士で手などの対象物を挟んだ状態を適切に維持するためである。つまり、対象物へのかみ込みを確実とし、対象物からのツボ刺激具１の脱落を防止するためである。
【００２２】
さらに、本実施例では、各操作材２には、挟み部４の中途部から先端部に亘って、表面に滑り止め樹脂１１（たとえばゴムまたはシリコンなど）が塗布されるなどして設けられている。これによっても、対象物からのツボ刺激具１の滑り落ちを防止することができる。
【００２３】
本実施例のツボ刺激具１によれば、各操作材２の挟み部４は、基端部から先端部へ向けて先細りに形成されることなく、場所によらずほぼ同一断面で、断面略矩形状の帯状に形成されている。しかも、その略矩形状の断面は、挟み部４の先端部同士が閉じた際に構成される円の径方向寸法（厚さ）Ｅが、その円の軸方向寸法（幅）Ｆよりも短くなるような帯状である（図３）。これにより、コンパクトな構成でありながら、肉厚の対象物をつかむこともできる。さらに、各操作材２の挟み部４は、基端部から先端部へ向けて先細りに形成されることなく断面略矩形状の帯状に形成されるので、強度を維持でき、耐久性に優れる。なお、各操作材２の断面は、図示例よりさらに丸みを帯びた形状としてもよい。
【００２４】
図４は、本実施例のツボ刺激具１の使用状態の一例を示す斜視図である。本発明のツボ刺激具１は、挟み部４の先端部間に、手、指、腕、肩、足（脚）、足の指などを挟んで、バネ３の力によりツボを刺激するのに用いられる。たとえば、図４に示すように、親指と人差し指の各付け根の間に、ツボ刺激具１を挟んで、合谷と呼ばれるツボを刺激するのに用いられる。
【００２５】
本実施例のツボ刺激具１は、前記実施例の構成に限らず、適宜変更可能である。
たとえば、図５は、図３の変形例を示す図であるが、この図に示すように、前記実施例において、挟み部４の先端部のみを、略半円形状に形成してもよい。この際、その半円の直径が、挟み部４を構成する帯の幅寸法と対応した形状とするのがよい。また、挟み部４を構成する帯の幅を見た状態だけでなく、帯の厚さを見た状態でも、挟み部４の先端部がそれぞれ略半円形状に同様に形成されるのが好ましい。挟み部４の先端部を略半円形状に形成することで、対象物への保持を一層確実とすると共に、指圧に似た感触でツボを刺激することができる。
【００２６】
また、ツボ刺激具１の大きさや形状は、本発明の趣旨を変更しない範囲で、適宜に変更可能である。たとえば、前記実施例では、トータルの長手寸法は７〜８ｃｍ程度としたが、たとえば１１〜１２ｃｍ程度としてよい。また、その形状は、図６に示すように、挟み部４が閉じた状態で、二つの挟み部４，４で、やや上下に細長い楕円形状を構成するようにしてもよい。図６のような比較的大きなツボ刺激具１は、腕、肩、足にも対応可能となる。
【００２７】
さらに、ツボ刺激具１には、特に挟み部４の先端部に、磁石、ゲルマニウムまたはトルマリンなどを設けたり（この際、一部を露出してもよいし、完全に埋め込んでもよい）、磁石やゲルマニウムなどの粉末を含む樹脂を塗布したり、そのような樹脂で挟み部４の先端部を形成したりしてもよい。このようにして、たとえば挟み部４の先端部に磁石を設ければ、一層、血行を促進することができる。
【００２８】
その他、携帯電話と同様のバイブレータを設けて、一対の操作材２，２の一方または双方を、電動モータで振動させてもよい。また、挟み部４，４間の離隔距離を電動で変動させて、ツボをより効果的にもむように構成してもよい。
【符号の説明】
【００２９】
１  ツボ刺激具
２  操作材
２Ａ  第一操作材
２Ｂ  第二操作材
３  バネ
４  挟み部
５  操作部
６  軸
７  凹溝
８  凸板
９  貫通穴
１０  係合穴
１１  滑り止め樹脂
【図１】
2012075488.tif 000003
【図２】
2012075488.tif 000004
【図３】
2012075488.tif 000005
【図４】
2012075488.tif 000006
【図５】
2012075488.tif 000007
【図６】
2012075488.tif 000008